(57)【要約】【課題】  多種類の分解能を切り替えられるようにしても、切替操作を操作しやすく、間違えにくい操作で実現する。【解決手段】  ノブ型操作子の回転操作（操作Ｔ）がＳ１で検出されると、その操作量がＳ２で検出される。この操作量に応じてパラメータの調整値がＳ３で決定される。ノブ型操作子の押し込み操作（操作Ｐ）がＳ５で検出されると、操作Ｐの状態１がＳ６で変更される。また、シフトキーを押す／離す操作（操作Ｓ）がＳ８で検出されると、操作子の状態２がＳ９で変更される。状態１と状態２の状態に応じてＳ７で分解能が決定され、この分解能に基づいてパラメータの調整値がＳ３で決定される。【選択図】  図２
2015180032.tif 000002
【特許請求の範囲】
【請求項１】
パラメータ値を調整する第１操作と、該第１操作の操作量に基づいてパラメータ値を調整する分解能を切り替える第２操作とを行える第１操作子と、
前記分解能を切り替える第３操作を行える第２操作子と、
前記第１操作子の前記第２操作の検出に応じて、第１操作状態を設定する第１検出手段と、
前記第２操作子の前記第３操作の検出に応じて、第２操作状態を設定する第２検出手段と、
前記第１検出手段で設定された前記第１操作状態と、前記第２検出手段で設定された前記第２操作状態とに応じて、前記分解能を切り替える分解能切替手段と、
を備えることを特徴とする音響信号処理装置のパラメータ設定装置。
【請求項２】
前記分解能切替手段は、
前記第１操作状態が、前記第１検出手段により前記第２操作が検出されない操作状態に設定されていると共に、前記第２操作状態が、前記第２検出手段により前記第３操作が検出されない操作状態に設定されている場合は、前記分解能を第１分解能に切り替え、
前記第１操作状態が、前記第１検出手段により前記第２操作が検出された操作状態に設定されていると共に、前記第２操作状態が、前記第２検出手段により前記第３操作が検出されない操作状態に設定されている場合は、前記分解能を前記第１分解能より細かい第２分解能に切り替え、
前記第１操作状態が、前記第１検出手段により前記第２操作が検出されない操作状態に設定されていると共に、前記第２操作状態が、前記第２検出手段により前記第３操作が検出された操作状態に設定されている場合は、前記分解能を前記第１分解能より細かい第３分解能に切り替え、
前記第１操作状態が、前記第１検出手段により前記第２操作が検出された操作状態に設定されていると共に、前記第２操作状態が、前記第２検出手段により前記第３操作が検出された操作状態に設定されている場合は、前記分解能を前記第２分解能および前記第３分解能より細かい第４分解能に切り替えるようにされていることを特徴とする請求項１記載の音響信号処理装置のパラメータ設定装置。
【請求項３】
前記第２分解能が前記第３分解能と同じ分解能とされていることを特徴とする請求項２記載の音響信号処理装置のパラメータ設定装置。
【請求項４】
前記第１操作は、前記第１操作子の回転軸を回転操作する操作とされ、前記第２操作は、前記回転軸を回転軸方向に押し込み操作する操作とされていることを特徴とする請求項１ないし３のいずれかに記載の音響信号処理装置のパラメータ設定装置。
【発明の詳細な説明】
【技術分野】
【０００１】
この発明は、操作子を操作してパラメータ値を設定する際に、分解能を切り替えることができる音響信号処理装置のパラメータ設定装置に関する。
【背景技術】
【０００２】
従来、音響信号を扱う音響信号処理装置としてミキサが知られている。ミキサでは、楽器毎の演奏音やボーカル音をそれぞれマイクで収音し、ミキシングしてパワーアンプや各種録音機器に送り出したり、エフェクタや演奏しているプレーヤに送り出している。そして、操作パネルに設けられている操作子群の所望の操作子を操作することにより、演奏を最もふさわしく表現していると思われる状態に各種パラメータの値を調整している。操作子群には、回転操作される「ノブ型操作子」が含まれている。ノブ型操作子は、例えば、パン、アウトプットレベル、センドレベル、ゲインなどのように連続値をとるパラメータの設定値を調整するための操作子である。ミキサのオペレータなどによりノブ型操作子が操作されると、その回転操作に応じた操作量が検出され、該検出された操作量に応じて当該ノブ型操作子の制御対象となっているパラメータの値が調整される。
【０００３】
ノブ型操作子の回転操作量に対するパラメータの変化量の分解能として、通常の分解能とそれより細かい分解能とを用意しておいて、パラメータの値を調整する際に、２種類の分解能を使い分けることができるようにすると、パラメータの取り得る値の範囲が広い場合でも、望みの値に素早く正確に調整することができる（特許文献１，２参照）。この場合、ノブ型操作子は、回転軸の回転操作と、該回転軸を軸方向に操作する押し込み操作との２通りの操作を行うことができ、ノブ型操作子の回転操作に応じた操作量に基づいてパラメータ値を調整し、ノブ型操作子の押し込み操作により分解能を２種類の分解能のいずれかに設定する。
【先行技術文献】
【特許文献】
【０００４】
【特許文献１】特開２００６−２７９５４９号公報
【特許文献２】特開２００７−２０１５２４号公報
【発明の概要】
【発明が解決しようとする課題】
【０００５】
従来の音響信号処理装置では、上記したように２種類の分解能のいずれかに切り替えてパラメータ値の調整を行うことができる。しかしながら、細かい種類の分解能としている時においても、一時的にもっと細かく調整したいことがあるが、細かい分解能をさらに細かい分解能に設定することはできないという問題点があった。また、多種類の分解能を切り替えるにあたり、切替操作の態様に対しては操作を間違えにくいよう構成することが望まれる。
そこで、本発明は、３種類以上の分解能に切り替えられるようにしても、切替操作を操作しやすく、間違えにくい操作で実現することができる音響信号処理装置のパラメータ設定装置を提供することを目的としている。
【課題を解決するための手段】
【０００６】
上記目的を達成するために、本発明の音響信号処理装置のパラメータ設定装置は、パラメータ値を調整する第１操作と、該第１操作の操作量に基づいてパラメータ値を調整する分解能を切り替える第２操作とを行える第１操作子と、前記分解能を切り替える第３操作を行える第２操作子と、前記第１操作子の前記第２操作の検出に応じて、第１操作状態を設定する第１検出手段と、前記第２操作子の前記第３操作の検出に応じて、第２操作状態を設定する第２検出手段と、前記第１検出手段で設定された前記第１操作状態と、前記第２検出手段で設定された前記第２操作状態とに応じて、前記分解能を切り替える分解能切替手段とを備えることを最も主要な特徴としている。
【発明の効果】
【０００７】
本発明の音響信号処理装置のパラメータ設定装置は、分解能を切り替える第１操作子の第１操作状態と、分解能を切り替える第２操作子の第２操作状態とに応じて分解能を切り替えるようにしている。これにより、切替操作を操作しやすく、間違えにくい操作で、通常の分解能と、これとは異なる２種類以上の分解能とを切り替えることができる。
【図面の簡単な説明】
【０００８】
【図１】本発明の実施例のパラメータ設定装置を備える音響信号処理装置の構成を示すブロック図である。
【図２】本発明にかかる音響信号処理装置のパラメータ設定装置におけるパラメータ設定のフローを示す図である。
【図３】本発明にかかる音響信号処理装置のパラメータ設定装置における分解能の切替テーブルを示す図である。
【図４】本発明にかかる音響信号処理装置のパラメータ設定装置における操作Ｔを検出した時の処理のフローチャートである。
【図５】本発明にかかる音響信号処理装置のパラメータ設定装置における操作Ｐの開始、終了を検出した時の処理のフローチャートである。
【図６】本発明にかかる音響信号処理装置のパラメータ設定装置における操作Ｓの開始、終了を検出した時の処理のフローチャートである。
【図７】本発明にかかる音響信号処理装置のパラメータ設定装置における操作Ｐを検出した時の処理のフローチャートである。
【発明を実施するための形態】
【０００９】
本発明の実施例のパラメータ設定装置を備える音響信号処理装置の構成を示すブロック図を図１に示す。
図１に示す音響信号処理装置１は、音響信号処理装置１の全体の動作を制御すると共に、音響信号処理用の操作子の操作に応じて制御信号を生成しているＣＰＵ（Central Processing Unit）１０と、ＣＰＵ１０が実行する音響信号処理用の動作ソフトウェアが記憶されていると共に、ＣＰＵ１０のワークエリアや各種データ等が記憶されるメモリ１１を備えている。さらに、音響信号処理にかかる各種パラメータを調整する画面等を表示する液晶表示装置等からなる表示器１２と、演奏を最もふさわしく表現していると思われる状態に各種パラメータの値を調整することができる操作パネルに設けられている操作子群である操作子１３と、音響信号の入出力を行う入出力インタフェースであるＩ／Ｏ  １４とを備えている。なお、図示した構成のほか、音響信号処理を専ら実行するＤＳＰや他の機器と通信するための入出力インタフェースを具備しても良い。また、これらは一の装置としてすべて具備させる必要はなく、表示器１２や操作子１３を図示していない入出力インタフェースを介して接続する等、複数の機器を組み合わせて構成してもよい。
【００１０】
操作子１３には、「ノブ型操作子」が含まれており、ノブ型操作子はロータリーエンコーダのように何回転でもできるエンドレス操作子とされている。このノブ型操作子は、回転軸を有し、回転軸に装着されたノブを把持して回転操作することにより、例えば、パン、アウトプットレベル、センドレベル、ゲインなどのように連続値をとるパラメータの設定値を調整することができる。また、このノブ型操作子は、組み込まれたセンサ（接点スイッチ、圧電素子、エンコーダ等）により、ノブを回転軸方向に押し込んだこと、押し込まれたノブが回転軸方向に引き出されたことを検出することができるよう構成されている。さらに、このノブをユーザが押し込んで、ノブから指を離すと自動的に回転軸が押し込まれていない状態に復帰するように回転軸をスプリング等の弾性手段で付勢するように構成してもよい。そして、ノブを把持して回転軸を軸方向に押し込む操作を行うことにより、回転操作量に対するパラメータの変化量の分解能を切り替えることができる。また、操作子１３にはキーも含まれており、このキーを押すことにより分解能を切り替えられる。キーは複数備えてもよく、この場合複数のキーのうち特定のキーを押すことにより分解能を切り替えるようにすればよい。例えば、この分解能を切り替える指示を行うためのキーは、「シフトキー」として操作子１３に用意されている。
なお、図１に示す音響信号処理装置１が備えている本発明にかかるパラメータ設定装置では、各操作子１３の状態を、ＣＰＵ１０が所定時間毎に取り込み、ユーザによる操作子１３の操作があったか否かを判断する。そして、操作子１３の操作ありと判断された場合、ＣＰＵ１０は、その操作された操作子１３に対応する後述する処理を実行する。このパラメータ設定装置では、操作子１３（ノブ型操作子）を回転操作することによりパラメータ値を所望の値に調整でき、この際の分解能を所望の分解能に切り替えることができる。すなわち、ユーザなどにより操作子１３の内のノブ型操作子が回転操作されると、その回転操作に応じた操作量が検出され、該検出された操作量に応じて当該ノブ型操作子の制御対象となっているパラメータの値が調整される。この際の回転操作量に対するパラメータの変化量の分解能を、ノブ型操作子の押し込み操作の操作状態と、シフトキーの操作状態の組み合わせにより所望の分解能に切り替えることができる。細かい分解能に切り替えると、操作量に対するパラメータの変化量が小さくなり、パラメータ値を容易に微調整することができる。なお、操作子１３のノブ型操作子が第１操作子に相当し、操作子１３のシフトキーが第２操作子に相当する。また、ノブ型操作子の回転操作が第１操作、押し込み／引き出し操作が第２操作に相当し、シフトキーの押離し操作が第３操作に相当する。
【００１１】
本発明にかかるパラメータ設定装置のパラメータ設定のフローを示す図を図２に、その分解能の切替テーブルを図３に示す。
図２に示すように、操作子１３の内のノブ型操作子が回転操作されると、この回転操作（「操作Ｔ」という）されたことがステップＳ１で検出される。そして、操作Ｔの操作量がステップＳ２で検出される。この検出された操作量に応じてパラメータの調整値がステップＳ３で決定される。検出された操作量に対応するパラメータの調整値は分解能に応じて決定されるが、この分解能はステップＳ７で決定される。分解能の決定について説明すると、ノブ型操作子を押し込み操作すると、押し込み操作（「操作Ｐ」という）されたことがステップＳ５で検出され、ステップＳ６にて操作Ｐの操作状態である状態１が変更される。この場合、ノブが回転軸方向に押し込まれる操作Ｐの場合は状態１が「オン」となり、押し込まれているノブを引き出す（あるいは上記弾性手段の作用により押し込んでいない状態に復帰する）操作Ｐの場合は状態１が「オフ」となる。なお、ノブが回転軸方向に押し込まれる際には、回転軸が回転軸方向に押し込まれる。また、シフトキーを押す／離す操作を行うと、シフト操作（「操作Ｓ」という）されたことがステップＳ８で検出され、ステップＳ９にて操作Ｓの操作状態である状態２が変更される。この場合、シフトキーを押す操作Ｓの場合は状態２が「オン」となり、押されているシフトキーを離す操作Ｓの場合は状態２が「オフ」となる。なお、シフトキーから指を離すことにより、シフトキーは自動的に押される前の元の状態に戻るようになる。なお、ステップＳ５の操作Ｐの検出およびステップＳ６の状態１の変更が第１検出手段に相当し、ステップＳ８の操作Ｓの検出およびステップＳ９の状態２の変更が第２検出手段に相当する。
【００１２】
ノブ型操作子の操作Ｐの状態１とシフトキーの操作Ｓの状態２との組み合わせにより、ステップＳ７において分解能が決定される。ステップＳ７では図３に示す分解能の切替テーブルに基づいて分解能を決定する。すなわち、ノブ型操作子の操作Ｐの状態１とシフトキーの操作子Ｓの状態２とが共に「オフ」の場合は通常の分解能であるノーマルモードの分解能とされ、ノブ型操作子の押し込み操作が行われ操作Ｐの状態１が「オン」とされ、シフトキーの操作Ｓの状態２が「オフ」の場合は、ノーマルモードより細かい分解能であるファインモード１の分解能とされる。また、ノブ型操作子の操作Ｐの状態１が「オフ」、シフトキーの操作が行われ操作Ｓの状態２が「オン」の場合は、ノーマルモードより細かい分解能であるファインモード２の分解能とされる。さらに、ノブ型操作子の押し込み操作が行われ操作Ｐの状態１が「オン」、シフトキーの操作が行われ操作Ｓの状態２が「オン」の場合はファインモード１およびファインモード２の分解能よりさらに細かい分解能であるスーパーファインモードの分解能に決定される。なお、ステップＳ７の分解能決定が分解能切替手段に相当する。
【００１３】
このように、ノブ型操作子を回転操作して、そのノブ型操作子の制御対象となっているパラメータの値を調整する際に、ノブ型操作子のノブを回転軸方向に押し込む押し込み操作を行うことにより、細かい分解能のファインモード１となりパラメータの微調整を容易に行うことができる。この際に、シフトキーを押す操作を行うとさらに細かい分解能のスーパーファインモードとなり、ノブ型操作子を回転操作してパラメータのさらに細かい微調整を容易に行うことができる。なお、ノブ型操作子を回転操作する際に、シフトキーを押す操作を行うだけでも細かい分解能のファインモード２の分解能となり、ノブ型操作子を回転操作してパラメータの細かい微調整を容易に行うことができる。この場合、ファインモード１の分解能とファインモード２の分解能とを等しくするようにしても良い。
【００１４】
次に、ノブ型操作子の操作Ｔが検出された際にパラメータ設定装置で実行されるパラメータ調整処理のフローチャートを図４に示す。このフローチャートは、図２に示すパラメータ設定のフローにおけるステップＳ１〜ステップＳ４に相当する。
操作子１３の内のノブ型操作子のノブが回転操作されると、パラメータ設定装置はノブ型操作子の操作Ｔを検出してパラメータ設定処理をスタートし、ステップＳ１０にてノブ型操作子の今回の操作Ｔによる回転操作の操作量を検出する。次いで、ステップＳ１１にて現在の分解能（上述の図２ステップＳ７にて決定した分解能）を参照して、検出された操作量に対するノブ型操作子の対象とされるパラメータの調整値が決定される。パラメータの調整値が決定されると、ステップＳ１２にてノブ型操作子の対象とされるパラメータの値が調整値だけ調整される。パラメータの値が調整されると、パラメータ調整処理は終了する。
【００１５】
次に、ノブ型操作子の操作Ｐの開始が検出された際にパラメータ設定装置で実行される分解能決定処理１のフローチャートを図５（ａ）に示す。このフローチャートは、図２に示すパラメータ設定のフローにおけるステップＳ５〜ステップＳ７に相当する。
操作子１３の内のノブ型操作子のノブが押し込まれる押し込み操作されると、第１検出手段がノブ型操作子の操作Ｐの開始を検出して分解能決定処理１がスタートされ、ステップＳ２０にてノブ型操作子の操作Ｐの状態１が「オン」とされる。次いで、ステップＳ２１にてノブ型操作子の操作Ｐの状態１と、シフトキーの操作Ｓの状態２の組合せに基づいて、図３に示すテーブルが参照されて分解能が決定される。次いで、ステップＳ２２にて決定された分解能に、ノブ型操作子の操作Ｔの操作量に対するパラメータの調整値を決定する際に使用する分解能を変更する。分解能が変更されると、分解能決定処理１は終了する。この分解能決定処理１では、操作Ｐの状態１が「オン」とされているので、操作Ｓの状態２が「オフ」の場合はファインモード１の分解能となり、操作Ｓの状態２が「オン」の場合はスーパーファインモードの分解能となる。
【００１６】
また、ノブ型操作子の操作Ｐの終了が検出された際にパラメータ設定装置で実行される分解能決定処理２のフローチャートを図５（ｂ）に示す。このフローチャートは、図２に示すパラメータ設定のフローにおけるステップＳ５〜ステップＳ７に相当する。
操作子１３の内のノブ型操作子のノブが引き出される押し込み操作されると、第１検出手段がノブ型操作子の操作Ｐの終了を検出して分解能決定処理２がスタートされ、ステップＳ３０にてノブ型操作子の操作Ｐの状態１が「オフ」とされる。次いで、ステップＳ３１にてノブ型操作子の操作Ｐの状態１と、シフトキーの操作Ｓの状態２の組合せに基づいて、図３に示すテーブルが参照されて分解能が決定される。次いで、ステップＳ３２にて決定された分解能に、ノブ型操作子の操作Ｔの操作量に対するパラメータの調整値を決定する際に使用する分解能を変更する。分解能が変更されると、分解能決定処理２は終了する。この分解能決定処理２では、操作Ｐの状態１が「オフ」とされているので、操作Ｓの状態２が「オフ」の場合はノーマルモードの分解能となり、操作Ｓの状態２が「オン」の場合はファインモード２の分解能となる。
【００１７】
次に、シフトキーの操作Ｓの開始が検出された際にパラメータ設定装置で実行される分解能決定処理３のフローチャートを図６（ａ）に示す。このフローチャートは、図２に示すパラメータ設定のフローにおけるステップＳ８，ステップＳ９，ステップＳ７に相当する。
操作子１３の内のシフトキーを押す操作をすると、第２検出手段がシフトキーの操作Ｓの開始を検出して分解能決定処理３がスタートされ、ステップＳ４０にてシフトキーの操作Ｓの状態２が「オン」とされる。次いで、ステップＳ４１にてノブ型操作子の操作Ｐの状態１と、シフトキーの操作Ｓの状態２の組合せに基づいて、図３に示すテーブルが参照されて分解能が決定される。次いで、ステップＳ４２にて決定された分解能に、ノブ型操作子の操作Ｔの操作量に対するパラメータの調整値を決定する際に使用する分解能を変更する。分解能が変更されると、分解能決定処理３は終了する。この分解能決定処理３では、操作Ｓの状態２が「オン」とされているので、操作Ｐの状態１が「オフ」の場合はファインモード２の分解能となり、操作Ｐの状態１が「オン」の場合はスーパーファインモードの分解能となる。
【００１８】
また、シフトキーの操作Ｓの終了が検出された際にパラメータ設定装置で実行される分解能決定処理４のフローチャートを図６（ｂ）に示す。このフローチャートは、図２に示すパラメータ設定のフローにおけるステップＳ８，ステップＳ９，ステップＳ７に相当する。
操作子１３の内のシフトキーを離して戻す操作をすると、第２検出手段がシフトキーの操作Ｓの終了を検出して分解能決定処理４がスタートされ、ステップＳ５０にてシフトキーの操作Ｓの状態２が「オフ」とされる。次いで、ステップＳ５１にて操作Ｐの状態１と、シフトキーの操作Ｓの状態２の組合せに基づいて、図３に示すテーブルが参照されて分解能が決定される。次いで、ステップＳ５２にて決定された分解能に、ノブ型操作子の操作Ｔの操作量に対するパラメータの調整値を決定する際に使用する分解能を変更する。分解能が変更されると、分解能決定処理４は終了する。この分解能決定処理４では、操作Ｓの状態２が「オフ」とされているので、操作Ｐの状態１が「オフ」の場合はノーマルモードの分解能となり、操作Ｐの状態１が「オン」の場合はファインモード１の分解能となる。
【００１９】
ところで、以上の説明ではノブ型操作子の物理的な押し込み操作の状況により、操作Ｐの「オン」と「オフ」とを検出するものとしたが、ノブを押し込む毎にオン／オフの状態が切り替わるトグルスイッチを組み込んだノブ型操作子とすることができる。このノブ型操作子では、ノブを回転軸方向にユーザが押し込んで、ノブから指を離すと自動的に回転軸が押し込まれていない状態（ノブが引き出された状態）に復帰すると共に、オン／オフの状態が切り替わる。
【００２０】
操作子１３にトグルスイッチを組み込んだノブ型操作子を備える音響信号処理装置１とされた場合に、ノブ型操作子の操作Ｐが検出された際にパラメータ設定装置で実行される分解能決定処理５のフローチャートを図７に示す。このフローチャートは、図２に示すパラメータ設定のフローにおけるステップＳ５〜ステップＳ７に相当する。
操作子１３の内のトグルスイッチを組み込んだノブ型操作子のノブが押し込まれる押し込み操作されると、第１検出手段がノブ型操作子の操作Ｐを検出して分解能決定処理５がスタートされ、ステップＳ６０にてノブ型操作子の操作Ｐの状態１を操作Ｐが検出される前（現在）と違う方の状態へ切り替える。次いで、ステップＳ６１にてノブ型操作子の操作Ｐの状態１と、シフトキーの操作Ｓの状態２の組合せに基づいて、図３に示すテーブルが参照されて分解能が決定される。次いで、ステップＳ６２にて決定された分解能に、ノブ型操作子の操作Ｔの操作量に対するパラメータの調整値を決定する際に使用する分解能を変更する。分解能が変更されると、分解能決定処理５は終了する。この分解能決定処理１では、ステップＳ６０で操作Ｐの状態１が「オン」に切り替えられた時は、操作Ｓの状態２が「オフ」の場合はファインモード１の分解能となり、操作Ｓの状態２が「オン」の場合はスーパーファインモードの分解能となる。また、ステップＳ６０で操作Ｐの状態１が「オフ」に切り替えられた時は、操作Ｓの状態２が「オフ」の場合はノーマルモードの分解能となり、操作Ｓの状態２が「オン」の場合はファインモード２の分解能となる。
【００２１】
押し込み操作をすることができるノブ型操作子には、ノブにタッチしたことを検知するタッチセンサを設けることができる。タッチセンサを設けたノブ型操作子においては、ノブの押し込み操作によりファインモード１がセットされた直後のノブへのタッチ操作でファインモード１が実行されるようにすることができる。そして、ノブへのタッチが終了したときにファインモード１を終了して、ノーマルモードへ移行することができる。このタッチの終了とは、ノブが押し込み操作された後、あるいは、ノブからのタッチがはなれた後、再タッチなしで約０．３秒が経過したときにタッチが終了したと判断される。この場合、ノブが押し込み操作された後、あるいは、ノブからのタッチがはなれた後、約０．３秒以内にノブへの再タッチがあればファインモード１は継続される。この経過する時間は、約０．３秒に限るものではなく０．３秒より長くしたり短くすることができる。
【産業上の利用可能性】
【００２２】
以上の説明においては、ノブ型操作子としてロータリーエンコーダを用いて説明したが、他のエンドレス操作子とされる回転操作子とすることができる。この回転操作子には操作位置の相対値（変化量）が検出される相対値型操作子と操作位置の絶対値が検出される絶対値型操作子とがあるが、本願発明にかかるパラメータ設定装置において用いられる回転操作子は相対値型操作子が好適とされる。また、本発明の第１操作子としては上記ノブ型操作子に代表される回転操作子であることが好適であるが、連続的にパラメータ操作が可能な操作インタフェースであれば、スライダー、タッチパネル等その形態は問わない。さらに、本発明の第２操作子をシフトキーとしたが、第２操作子の種類はこれに限らず、２以上の状態が検出可能なものでればよい。例えば所謂ＯＮ／ＯＦＦスイッチ（シーソー型のスイッチ）などであってもよい。また、第１操作子にかかる第２操作としては上記押し込み操作であるものとして説明したが、第１操作子にかかる第１操作（上記実施態様においては回転操作）と弁別可能な操作であればこれに限らない。例えば第２操作としてノブ操作子を把持する力を検知して強くつまむ／弱くつまむを第２操作としてもよいし、ノブ操作子などの頂部に設けたスイッチ等の操作を第２操作としてもよい。
また、上記実施形態では非押し込み状態（通常状態）と比較して押し込み状態（分解能を切り替えた状態）では分解能を細かくするものとしたが、その逆であってもよく、通常状態の分解能が押し込み状態の分解能より細かいものであってもよい。また分解能の切替は一方向性には限らず、例えば、通常時の分解能はファインモード１の分解能より細かいがファインモード２の分解能より粗い、といったように増減するような態様であってもよい。さらに、上記実施形態では分解能の切替を４状態としたが、５以上の分解能の状態を採用してもよい。
本発明にかかるパラメータ設定装置は、ミキサなどの音響信号処理装置に適用されていたが、本発明にかかるパラメータ設定装置は、操作子でパラメータ値を設定する、様々な用途の電子機器および電気機器に適用可能である。例えば、パーソナルコンピュータ、タブレット端末、携帯電話等に適用しても良い。
また、ノブ型操作子で設定するパラメータは、音響信号処理用のパラメータに限ることはなく、映像制御、通信制御、モータ制御、照明制御等の種々の用途のパラメータとすることができる。
【符号の説明】
【００２３】
１  音響信号処理装置、１０  ＣＰＵ、１１  メモリ、１２  表示器、１３  操作子、１４  Ｉ／Ｏ
【図１】
2015180032.tif 000003
【図２】
2015180032.tif 000004
【図３】
2015180032.tif 000005
【図４】
2015180032.tif 000006
【図５】
2015180032.tif 000007
【図６】
2015180032.tif 000008
【図７】
2015180032.tif 000009